(57)【要約】      （修正有）【課題】燻焼火災および初期火災における煙を画像処理により検知可能とする。【解決手段】監視カメラ１０により監視領域の画像を撮像し、撮像した画像から稜線を稜線抽出部２８により抽出し、抽出した稜線の中から火災判断部３０により煙による特徴的な所定の稜線を検知して火災を判断する。火災判断部３０は、直線成分抽出部３２により画像領域毎の稜線の画像から画像処理により直線成分を抽出し、時系列変化検出部３４により直線成分の傾きと発生頻度の時系列変化を求め、その中から火災検知部３６により煙による特徴的な直線成分の傾きと発生頻度となる所定の時系列変化、即ち傾きが一定で発生頻度の異なる直線成分の時系列変化を検知した場合に火災と判断する。【選択図】図３
2014222430.tif 000002
【特許請求の範囲】
【請求項１】
監視領域の画像を撮像する撮像手段と、
前記撮像手段で撮像した画像から稜線を抽出する稜線抽出手段と、
前記稜線抽出手段で抽出した稜線の中から煙による特徴的な所定の稜線を検知して火災を判断する火災判断手段と、
を設けたことを特徴とする火災検知装置。
【請求項２】
請求項１記載の火災検知装置に於いて、
前記稜線抽出手段は、前記撮像手段で撮像した画像にエッジ強調処理を施して稜線を抽出し、
前記火災判断手段は、
前記稜線抽出手段で抽出した稜線の画像を複数の画像領域に分割し、前記画像領域毎に稜線の直線成分を抽出する直線成分抽出手段と、
前記画像領域毎に、前記直線成分抽出手段で抽出した直線成分の時系列での変化を求める時系列変化検出手段と、
前記時系列変化検出手段で検出した線成分の時系列変化の中から煙による特徴的な所定の時系列変化を検知した場合に火災と判断する火災検知手段と、
を備えたことを特徴とする火災検知装置。
【請求項３】
請求項２記載の火災検知装置に於いて、
前記直線成分抽出手段は、前記画像領域毎に、直線成分を抽出し、
前記時系列変化検出手段は、抽出した直線成分の傾きと発生頻度の時系列変化を求め、
前記火災検知手段は、前記時系列変化検出手段で検出した直線成分の傾きと発生頻度の時系列変化の中から煙による特徴的な直線成分の傾きと発生累積頻度となる所定の時系列変化を検知した場合に火災と判断する、
ことを特徴とする火災検知装置。
【請求項４】
請求項３記載の火災検知装置に於いて、前記火災検知手段は、傾きが一定で発生頻度の異なる直線成分の時系列変化を１又は複数検知した場合に、火災と判断することを特徴とする火災検知装置。
【請求項５】
請求項３記載の火災検知装置に於いて、前記火災検知手段は、傾きが一定で発生頻度も一定となる直線成分の時系列変化を、非火災の時系列変化と判断して除外することを特徴とする火災検知装置。
【請求項６】
撮像手段により監視領域の画像を撮像し、
前記撮像手段で撮像した画像から稜線を稜線抽出手段により抽出し、
前記稜線抽出手段で抽出した稜線の中から火災判断手段により煙による特徴的な所定の稜線を検知して火災を判断する、
ことを特徴とする火災検知方法。
【請求項７】
請求項６記載の火災検知方法に於いて、
前記撮像手段で撮像した画像に前記稜線抽出手段によりエッジ強調処理を施して稜線を抽出し、
前記火災判断手段は、
前記稜線抽出手段で抽出した稜線の画像を複数の画像領域に分割し、前記画像領域毎に稜線の直線成分を抽出し、
前記画像領域毎に、抽出した直線成分の時系列変化を求め、
前記線成分の時系列変化の中から煙による特徴的な所定の時系列変化を検知した場合に火災と判断することを特徴とする火災検知方法。
【請求項８】
請求項７記載の火災検知方法に於いて、
前記火災判断手段は、
前記画像領域毎の稜線の画像から直線成分を抽出し、
抽出した直線成分の傾きと発生頻度の時系列変化を求め、
前記直線成分の傾きと発生頻度の時系列変化の中から煙による特徴的な直線成分の傾きと発生累積頻度となる所定の時系列変化を検知した場合に火災と判断する、
ことを特徴とする火災検知方法。
【請求項９】
請求項８記載の火災検知方法に於いて、前記火災判断手段は、傾きが一定で発生頻度の異なる直線成分の時系列変化を１又は複数検知した場合に、火災と判断することを特徴とする火災検知方法。
【請求項１０】
請求項８記載の火災検知方法に於いて、前記火災判断手段は、傾きが一定で発生頻度も一定となる直線成分の時系列変化を、非火災の時系列変化と判断して除外することを特徴とする火災検知方法。
【発明の詳細な説明】
【技術分野】
【０００１】
本発明は、監視カメラで撮像した監視領域の画像から火災初期における煙を検知する火災検知装置及び火災検知方法に関する。
【背景技術】
【０００２】
従来、監視カメラで撮像した監視領域の画像に対し画像処理を施すことにより、火災を検知するようにした様々な装置やシステムが提案されている。
【０００３】
このような火災検知装置にあっては、火災発生に対する初期消火や避難誘導の観点から火災の早期発見が重要である。
【０００４】
このため従来装置（特許文献１）にあっては、画像から火災に伴う煙により起きる現象として、透過率又はコントラストの低下、輝度値の特定値への収束、輝度分布範囲が狭まって輝度の分散の低下、煙による輝度の平均値の変化、エッジの総和量の低下、低周波帯域の強度増加を導出し、これらを総合的に判断して煙の検出を可能としている。
【先行技術文献】
【特許文献】
【０００５】
【特許文献１】特開２００８−０４６９１６号公報
【特許文献２】特開平７−２４５７５７号公報
【特許文献３】特開２０１０−２３８０２８号公報
【発明の概要】
【発明が解決しようとする課題】
【０００６】
ところで、火災初期の段階で多い燻焼燃焼では、ごく微量の煙が立ち上がり、時間の経過と共に煙の量が増し、最終的には煙層が天井面に沿って発生し、従来の煙感知器は、天井面に発生した煙層を検知するようにしている。
【０００７】
このように、ごく微量の煙が立ち上がり火災初期の段階で火災を検知することが重要になるが、従来の画像に対し画像処理を施して煙を検知する装置にあっては、例えば立ち立ち上る煙の動き（流動）を検知するようにしているが、この流動検知のためには十分な量の煙が立ち昇る段階にならないと検知することが困難であり、細い筋のようになってごく微量の煙が立ち上がる火災の初期で検知することはできないという問題があった。
【０００８】
本発明は、燻焼火災および初期火災における煙を画像処理により検知可能とする火災検知装置及び火災検知方法を提供することを目的とする。
【課題を解決するための手段】
【０００９】
（装置）
本発明は、火災検知装置に於いて、
監視領域の画像を撮像する撮像手段と、
撮像手段で撮像した画像から稜線を抽出する稜線抽出手段と、
稜線抽出手段で抽出した稜線の中から煙による特徴的な所定の稜線を検知して火災を判断する火災判断手段と、
を設けたことを特徴とする火災検知装置。
【００１０】
ここで、稜線抽出手段は、撮像手段で撮像した画像にエッジ強調処理を施して稜線を抽出し、
火災判断手段は、
稜線抽出手段で抽出した稜線の画像を複数の画像領域に分割し、画像領域毎に稜線の直線成分を抽出する直線成分抽出手段と、
画像領域毎に、線成分抽出手段で抽出した直線成分の時系列での変化を求める時系列変化検出手段と、
時系列変化検出手段で検出した線成分の時系列変化の中から煙による特徴的な所定の時系列変化を検知した場合に火災と判断する火災検知手段と、
を備える。
【００１１】
また、直線成分抽出手段は、画像領域毎に、ハフ変換により直線成分を抽出し、
時系列変化検出手段は、ハフ変換により抽出した直線成分の傾きと発生頻度の時系列変化を求め、
火災検知手段は、時系列変化検出手段で検出した直線成分の傾きと発生頻度の時系列変化の中から煙による特徴的な直線成分の傾きと発生累積頻度となる所定の時系列変化を検知した場合に火災と判断する。
【００１２】
火災検知手段は、傾きが一定で発生頻度の異なる直線成分の時系列変化を１又は複数検知した場合に、火災と判断する。
【００１３】
また、火災検知手段は、傾きが一定で発生頻度も一定となる直線成分の時系列変化を、非火災の時系列変化と判断して除外する。
【００１４】
（方法）
本発明は、火災検知方法に於いて、
撮像手段により監視領域の画像を撮像し、
撮像手段で撮像した画像から稜線を稜線抽出手段により抽出し、
稜線抽出手段で抽出した稜線の中から火災判断手段により煙による特徴的な所定の稜線を検知して火災を判断する、
ことを特徴とする。
【００１５】
本発明の火災検知方法による他の特徴は、前述した火災検知装置の場合と基本的に同じになることから、その説明を省略する。
【発明の効果】
【００１６】
本発明の火災検知装置及び火災検知方法によれば、撮像部により撮像した監視領域の画像から、煙により発生する稜線の直線成分を抽出し、その傾きと発生頻度について時系列での変化を求めた結果、煙による特徴的な変化が得られ、これを検知することで、火災の初期の段階で多い燻焼燃焼により発生するごく微量の煙の立ち上りを確実に検知し、火災を早期に判断して報知することを可能とする。
【００１７】
また、画像から稜線の直線成分を抽出した場合、煙以外の背景による直線成分も抽出されるが、背景の直線成分は定常的に存在しているのに対し、煙による直線成分は揺らぎつつ上方に伸びていることから、直線成分の傾きと発生頻度について時系列変化を求めることで、背景の直線成分が存在しても、これと区別して煙による直線成分を検知して火災の判断を可能とする。
【図面の簡単な説明】
【００１８】
【図１】本発明の火災検知装置設置した監視領域を示した説明図
【図２】ごく微量の煙が立ち上がる状態をモデル化して示した説明図
【図３】画像処理装置の機能構成の概略を示したブロック図
【図４】画像の領域分割を示した説明図
【図５】ごく微量の煙が立ち上がる状態の時間変化を画像処理の対象とする領域を特定して示した説明図
【図６】ゴミ入れの直上の領域の直線成分の時系列変化を示した説明図
【図７】図６の直線成分の傾きと発生頻度を表したベクトルの時系列変化を示した説明図
【図８】図６の領域の上となる領域の直線成分の時系列変化を示した説明図
【図９】図８の直線成分の傾きと発生頻度を表したベクトルの時系列変化を示した説明図
【図１０】背景となる領域の直線成分の時系列変化を示した説明図
【図１１】図１１の直線成分の傾きと発生頻度を表したベクトルの時系列変化を示した説明図
【図１２】背景となる他の領域の直線成分の時系列変化を示した説明図
【図１３】図１３の直線成分の傾きと発生頻度を表したベクトルの時系列変化を示した説明図
【図１４】図３の画像処理装置の動作を示したフローチャート
【発明を実施するための形態】
【００１９】
［火災検知装置の概要］
図１は本発明による火災検知装置を設置した監視領域を示した説明図であり、図１（Ａ）は側面を示し、図１（Ｂ）は監視カメラから見た正面を示す。
【００２０】
図１（Ａ）に示すように、監視領域１６には撮像手段として機能する監視カメラ１０が設置され、図１（Ｂ）に示す監視領域の状態を撮像して画像を得ている。
【００２１】
監視領域１６に置かれた可燃物が何らかの原因で火災が発生する状況となり、火災の初期では図示のようにごく微量の煙２４が細い筋となって立ち上っている。また監視領域１６の壁面には構造や壁紙などにより、縦方向や横方向に直線的な筋として現れている。
【００２２】
監視カメラ１０で撮像した画像は伝送路を介して管理人室などに設置した画像処理装置１２に伝送され、画像処理によりごみ入れ１８から立ち上がっている微量の煙２４を検知して火災を判断し、火災検知信号を火災報知設備に出力して火災警報を出力するようにしている。
【００２３】
［検出原理］
本発明により微量の煙を検知する原理を説明すると次のようになる。本発明は、図２（Ａ）に示す火源１８から立ち上がる微量の煙２４の画像の画像処理により検知するが、この場合、初期の煙２４は、図２（Ｂ）に示すように、半透明かつ円筒状の物体が、揺らぎつつ火源より上方へ伸びて行く煙モデル２４ａとして考えられる。
【００２４】
この煙モデル２４ａは、図２（Ｃ）の濃度分布に示すように、中心部ほど煙濃度は濃く、周辺では相対的に薄くなるため、監視カメラ１０で撮像下に次元画像においては背景に対し煙２４の中心が最も透過しない稜線を描くと考えられる。
【００２５】
そこで、画像に対しエッジ強調処理を適用して煙の稜線を抽出し、更に、画像を細かい領域に分割した後に、各々の領域に対してハフ変換を行って直線成分を抽出する。このようにして抽出した煙による直線成分は、時間の経過に伴い揺らぎつつ上方へ伸びて行く。これに対し背景に存在する直線成分は、時間が経過しても変化せず、定常的に存在している。このため抽出した直線成分の時系列での変化を捉えれば、煙による特徴的な時系列的変化を捉えることができる。
【００２６】
以上の結果を基に、所定周期毎に撮像した画像から抽出した各領域の直線成分の方向と累積頻度の時系列変化を求めてみると、煙による特徴的な時系列変化が得られ、火災の初期で細い筋となって立ち上る微量の煙２４の検知が可能となる。
【００２７】
［火災検知装置］
（火災検知装置の機能構成）
図３は本発明による火災検知装置の機能構成の概略を示したブロック図である。図３に示すように、火災検知装置は、監視カメラ１０と画像処理装置１２で構成され、画像処理装置１２は、そのハードウェアとしてＣＰＵ、メモリ、各種の入出力ポート等を備えたコンピュータ回路等で構成され、ＣＰＵによるプログラムの実行により実現される機能として、稜線抽出手段として機能する稜線抽出部２８、火災判断手段として機能する火災判断部３０を備え、更に、火災判断部３０の機能として、直線成分抽出手段として機能する直線成分抽出部３２、時系列変化検出手段として機能する時系列変化検出部３４、及び火災検知手段として機能する火災検知部３６を設けている。また、伝送部２６は監視カメラ１０で撮像した画像データを受信する適宜の伝送インタフェースが使用される。
【００２８】
撮像手段として機能する監視カメラ１０は、伝送部２６の伝送制御により動画像データとして、例えば毎秒３０フレームとなる監視領域の画像データを伝送し、画像処理装置１２に設けた図示しないメモリに記憶する。
【００２９】
稜線抽出部２８は、メモリに記憶したフレーム単位の画像から稜線を抽出して稜線画像を生成する。例えばこの場合、稜線抽出部２８は画像に対しエッジ強調処理の1つであるゾーベルフィルタ（Ｓｏｂｅｌ  Ｆｉｌｔｅｒ）を適用し、例えば図４の画像２４ｂに示すように、稜線を抽出して稜線画像とする。なお、稜線抽出部２８による稜線抽出処理は、全フレーム画像を対象とせず、処理速度の関係で所定フレーム数を間引きしたフレーム毎に行うようにしても良い。
【００３０】
ゾーベルフィルタは、ある注目画素を中心とした上限左右の９つの画素値に対し、水平方向と垂直方向の２つの係数行列による所定の係数を乗算して総和を求めることで、画像中に存在するある領域の境界（エッジ）を検出可能とする微分処理であり、これを適用して、稜線抽出部２８は図４に示すように、火源１８から上方に立ち上がる煙の画像から煙の稜線２４ｂを抽出する。
【００３１】
火災判断部３０は、稜線抽出部２８で抽出した稜線の中から煙による特徴的な所定の稜線を検知して火災を判断するものであり、具体的には、直線成分抽出部３２、時系列変化検出部３４、及び火災検知部３６により火災を検知する。
【００３２】
直線成分抽出部３２は、稜線抽出部２８で抽出し稜線の画像２０を図４の破線で示すように、複数の領域、例えば６４×６４画素の領域に分割し、領域毎に例えばハフ変換（Ｈｏｕｇｈ変換）を施して稜線の直線成分を抽出する。ハフ変換は画像中の直線線分を抽出する方法として知られており、画像中のｎ個の点に対し、ρ―θ平面上ではｎ個の曲線が得られ、この内、ｍ個の曲線が１点で交わっていれば、このｍ個の点に対応する画像上のｍ個の点は同一直線上にあることとなり、これにより直線成分を抽出できる。
【００３３】
時系列変化検出部３４は、直線成分抽出部３２によるハフ変換で抽出した直線成分の傾きと発生頻度の時系列変化を求める。
【００３４】
図５は、所定フレーム数を間引いた間引きフレーム処理により図４の稜線を抽出した画像の時間的に変化を示した説明図であり、処理対象とする領域として、火源１８の直上の領域Ａ１、その上の領域Ａ２、更に背景となる領域Ａ３，Ａ４を例にとって示している。
【００３５】
図５（Ａ）の時刻にあっては、火源１８から煙の稜線２４bが立ち上がって先端が領域Ａ１にあり、図５（Ｂ）の次の時刻では、煙の稜線２４bが更に立ち上がって領域Ａ１及び領域Ａ２を通過している。
【００３６】
一方、背景となる領域Ａ３には上下方向に４本が定常的に存在し、また背景となる領域Ａ４には、縦方向に１本、横方向ら６本の稜線が定常的に存在している。
【００３７】
図６は図５の火源１８の直上となる領域Ａ１について間引きフレームの４周期分となる時刻ｔ１〜ｔ４で抽出した直線成分の時系列変化を示している。時刻ｔ１では、領域Ａ１を通過する煙稜線の直線成分は、領域可変中央を原点とした二次元座標において、上方をθ１＝０°とすると発生頻度は２本となり、右斜め上方をθ２とすると発生頻度は２本となり、左斜め上方をθ３とすると発生頻度は１本となる。このような領域Ａ１を通過する煙稜線の直線成分は、立ち上がる煙の揺らぎに応じ時刻ｔ２〜ｔ４に示すように、その方向と発生頻度が変化する。
【００３８】
図７は図６の領域Ａ１の直線成分の時系列変化を示した説明図であり、直線成分を傾きθと発生頻度の長さを持つベクトルを累積して示している。
【００３９】
図７に示すように、時刻ｔ１で
ベクトルＢ１は（θ１，２）
ベクトルＢ２は（θ２，２）
ベクトルＢ２は（θ３，１）
となり、時刻ｔ２〜ｔ４では、その時系列変化に応じて累積的に増加していく。
【００４０】
図８は図５の火源れ１８の直上となる領域Ａ１の上となる領域Ａ２について、間引きフレームの４周期分となる時刻ｔ１〜ｔ４で抽出した直線成分の時系列変化を示している。領域Ａ２では立ち上がる煙の揺らぎが多くなっており、このため、時刻ｔ１では、領域Ａ２を通過する煙稜線の直線成分は、上方をθ１＝０°とすると発生頻度は１本となり、右斜め上方をθ２とすると発生頻度は１本となり、左斜め上方をθ３とすると発生頻度は２本となり、更にθ２より大きい右斜め上方をθ４とすると発生頻度は１本となり、θ３より大きい左斜め上方をθ５とすると発生頻度は１本となる。
【００４１】
このように領域Ａ２を通過する煙稜線の直線成分は、立ち上がる煙の揺らぎに応じ時刻ｔ２〜ｔ４に示すように、その方向と発生頻度が変化する。
【００４２】
図９は図８の領域Ａ２の直線成分の時系列変化を示した説明図であり、直線成分を傾きθと発生頻度の長さを持つベクトルを累積して示している。
【００４３】
図９に示すように、時刻ｔ１で
ベクトルＢ１は（θ１，１）、
ベクトルＢ２は（θ２，１）
ベクトルＢ３は（θ３，２）、
ベクトルＢ４は（θ４，１）、
ベクトルＢ５は（θ５，１）
となり、時刻ｔ２〜ｔ４では、その時系列変化に応じて累積的に増加していく。
【００４４】
図１０は図５の背景となる領域Ａ３について、間引きフレームの４周期分の時刻ｔ１〜ｔ４で抽出した直線成分の時系列変化を示している。領域Ａ３では背景に上下に４本の直線成分が定常的に存在しており、このため、時刻ｔ１〜ｔ４の全てで、領域Ａ３に存在する直線成分は、上方をθ１＝０°とすると発生頻度は４本となる。
【００４５】
図１１は図１０の領域Ａ３の直線成分の時系列変化を示した説明図であり、直線成分を傾きθと発生頻度の長さを持つベクトルを累積して示している。
【００４６】
図１１に示すように、時刻１でベクトルＢ１は（θ１，１）となり、時刻ｔ２〜ｔ４では、その時系列変化に応じて一定の発生頻度＝４により累積的に増加していく。
【００４７】
図１２は図５の背景となる領域Ａ４について、間引きフレームの４周期分の時刻ｔ１〜ｔ４で抽出した直線成分の時系列変化を示している。領域Ａ４では背景に、縦方向に１本、横方向に６本の直線成分が定常的に存在しており、領域下辺の中央を原点とした二次元座標において、右側をθ５＝＋９０°、左側をθ６＝−９０°、左斜め上方をθ７とすると、時刻ｔ１〜ｔ４の全てで、
θ１の発生頻度は１本
θ５の発生頻度は２本
θ６の発生頻度は２本
θ７の発生頻度は２本
となり、傾き及び発生頻度は変化せず、一定である。
【００４８】
図１３は図１２の領域Ａ４の直線成分の時系列変化を示した説明図であり、直線成分を傾きθと発生頻度の長さを持つベクトルを累積して示している。
【００４９】
図１３に示すように、時刻ｔ１で
ベクトルＢ１は（θ１，１）
ベクトルＢ５は（θ５，２）
ベクトルＢ６は（θ６，２）
ベクトルＢ７は（θ７，２）
となり、時刻ｔ２〜ｔ４では、その時系列変化に応じて一定の発生頻度により累積的に増加していく。
【００５０】
火災検知部３６は、時系列変化検出部３４により検知された各領域の直線成分の時系列変化の中から、煙による特徴的な時系列変化を検知して火災と判断する。
例えば、時系列変化検出部３４により、図７、図９、図１１及び図１３の時刻ｔ４に示す直線成分の傾きと発生頻度の累積で与えられる時系列変化が検知された場合、煙による特徴的な時系列変化は、図７及び図９の時刻ｔ４に示すように、傾きと発生頻度と異なる累積ベクトルが放射状に複数存在する所謂デイジーパターンとなっている。
【００５１】
このような煙による特徴的な時系列変化を示すデイジーパターンは、図１１及び図１３の時刻ｔ４に示す傾きが一定で発生頻度も一定となる直線成分の時系列変化となる定常パターンから明確に区別することができ、火災検知部３６は、煙による特徴的な時系列変化を示すデイジーパターンを検知して火災を判断する。
【００５２】
［火災判断動作］
図１４は図４の画像処理装置による火災検知動作を示したフローチャートである。
【００５３】
図１４において、画像処理装置１２は、ステップＳ１（以下「ステップ」は省略）で監視カメラ１０により動画画像として例えば３０フレーム／秒で撮像した監視領域の画像を取得してメモリに記憶し、Ｓ２で稜線検出部２８によるゾーベルフィルタの適用により画像から稜線を抽出する。
【００５４】
続いてＳ３で直線成分抽出部３２により稜線の画像を複数の領域に分割し、Ｓ４で領域毎にハフ変換を施して稜線の直線成分を抽出した後、Ｓ５に進んで時系列変化検出部３４により、Ｓ３で抽出した直線成分の傾きと発生累積頻度による時系列変化を求め、Ｓ４で火災検知部３６により直線成分の傾きと発生頻度の時系列変化の中から煙による特徴的な直線成分の傾きと発生累積頻度となる所定の時系列変化、例えばデイジーパターンを検知する火災判断を行い、その結果としてＳ７で火災を検知した場合はＳ８で火災検知信号を火災報知設備に出力して火災警報を出力させる。一方、Ｓ７で火災を検知しなかった場合は、Ｓ１に戻り、同様な処理を繰り返す。
〔本発明の変形例〕
（稜線抽出）
上記の実施形態にあっては、画像にゾーベルフィルタを適用して煙の稜線を抽出しているが、プレヴィットフィルタ(Ｐｒｅｗｉｔｔ  Ｆｉｌｔｅｒ)等のエッジ強調処理に用いた適宜のフィルタを適用しても良い。
【００５５】
（直線成分抽出）
上記の実施形態にあっては、ハフ変換を適用して煙の稜線を抽出しているが、Ｌｉｎｅ  Ｓｅｇｍｅｎｔ  Ｄｅｔｅｃｔｏｒ(ＬＳＤ)等の画像から直線成分を抽出する処理方法を適用しても良い。
【００５６】
（画像処理装置）
上記の実施形態にあっては、監視カメラと画像処理装置を分離配置して伝送路により接続しているが、両者を一体化した装置としても良い。
【００５７】
また、本発明は上記の実施形態に限定されず、その目的と利点を損なうことのない適宜の変形を含み、更に上記の実施形態に示した数値による限定は受けない。
【符号の説明】
【００５８】
１０：監視カメラ
１２：画像処理装置
１４：火災報知設備
１６：居室
１８：火源
２０：画像
２４：煙
２４ａ：煙モデル
２４ｂ：煙稜線
２６：伝送部
２８：稜線抽出部
３０：火災判断部
３２：直線成分抽出部
３４：時系列変化検出部
３６：火災検知部
【図１】
2014222430.tif 000003
【図２】
2014222430.tif 000004
【図３】
2014222430.tif 000005
【図４】
2014222430.tif 000006
【図５】
2014222430.tif 000007
【図６】
2014222430.tif 000008
【図７】
2014222430.tif 000009
【図８】
2014222430.tif 000010
【図９】
2014222430.tif 000011
【図１０】
2014222430.tif 000012
【図１１】
2014222430.tif 000013
【図１２】
2014222430.tif 000014
【図１３】
2014222430.tif 000015
【図１４】
2014222430.tif 000016
【手続補正書】
【提出日】平成25年5月14日(2013.5.14)
【手続補正１】
【補正対象書類名】図面
【補正対象項目名】図１
【補正方法】変更
【補正の内容】
【図１】
2014222430.tif 000017